(57)【要約】      （修正有）【課題】引き出し配線を振動板のサブドーム内側に接着しても、サブドームの復元力や質量を均一に保つことができるダイナミックヘッドホンユニット及びその製造方法を提供する。【解決手段】ダイナミックヘッドホンユニット１０はボイスコイル４が固定されている振動板１と、永久磁石２１と、永久磁石２１の一方の極側に設けられたポールピース２２と、永久磁石２１の他方の極側に設けられたヨーク２３と、を有し、ポールピース２２とヨーク２３との間に形成される磁気ギャップ内に、振動板１を介してボイスコイル４が振動可能に支持され、ボイスコイル４には、信号電流を流す引き出し配線５が設けられていて、引き出し配線５は、振動板１のサブドーム３の内面側に感圧接着剤６により接着されている。【選択図】図１
2015090985.tif 000002
【特許請求の範囲】
【請求項１】
ボイスコイルが固定されている振動板と、
永久磁石と、
上記永久磁石の一方の極側に設けられたポールピースと、
上記永久磁石の他方の極側に設けられたヨークと、
を有し、
上記ポールピースと上記ヨークとの間に形成される磁気ギャップ内に、上記振動板を介して上記ボイスコイルが振動可能に支持されているダイナミックヘッドホンユニットであって、
上記ボイスコイルには、信号電流を流す引き出し配線が設けられていて、
上記引き出し配線は、上記振動板のサブドームの内面側に感圧接着剤により接着されている、
ことを特徴とするダイナミックヘッドホンユニット。
【請求項２】
上記引き出し配線は、上記振動板のサブドームの内面側に接触して圧力が加えられて、上記感圧接着剤により接着されている、
請求項１記載のダイナミックヘッドホンユニット。
【請求項３】
ボイスコイルが固定されている振動板と、永久磁石と、上記永久磁石の一方の極側に設けられたポールピースと、上記永久磁石の他方の極側に設けられたヨークと、を有し、上記ポールピースと上記ヨークとの間に形成される磁気ギャップ内に、上記振動板を介して上記ボイスコイルが振動可能に支持されているダイナミックヘッドホンユニットの製造方法であって、
上記ボイスコイルに信号電流を流す引き出し配線を上記振動板の外側に取り出す工程と、
上記引き出し配線に接着剤を塗布する工程と、
上記接着剤が塗布された上記引き出し配線を上記振動板の外周部分を形成するサブドームに沿って、上記サブドームの内側に接触させる工程と、
を有することを特徴とするダイナミックヘッドホンユニットの製造方法。
【請求項４】
上記サブドームの内側に接触している上記引き出し配線に圧力を加える工程、
を備える、
請求項３記載のダイナミックヘッドホンユニットの製造方法。
【請求項５】
上記引き出し配線に加えられる圧力は、風力である、
請求項４記載のダイナミックヘッドホンユニットの製造方法。
【請求項６】
上記接着剤は、感圧接着剤である、
請求項３乃至５のいずれかに記載のダイナミックヘッドホンユニットの製造方法。
【発明の詳細な説明】
【技術分野】
【０００１】
本発明は、ダイナミックヘッドホンユニットと、ダイナミックヘッドホンユニットの製造方法に関するものである。
【背景技術】
【０００２】
ダイナミックヘッドホンユニットは、永久磁石と、永久磁石の一方の極側に設けられたポールピースと、永久磁石の他方の極側に設けられたヨークにより磁気回路が形成される。この磁気回路中に形成される磁気ギャップに、振動板を介して振動可能に支持されたボイスコイルが配置されている。音声信号に応じた電流をボイスコイルに流すと、この電流によって生じる磁界と磁気ギャップ中の磁界との作用により、電流に応じてボイスコイルが振動し、これに応じて振動板が振動するので、音が出力される。したがって、ダイナミックヘッドホンユニットは、ボイスコイルに音声信号を流すための配線（以下、「引き出し配線」という。）を備えている。
【０００３】
ダイナミックヘッドホンユニットにおける振動板の変位量は大きく、ボイスコイルは振動板に固定されているので、振動板の変位により、ボイスコイルの一部である引き出し配線も大きく変位することになる。引き出し配線は、細い電線であるから、大きく変位することによる断線が生じやすい。また、引き出し配線自体が縄飛びの縄のように振動すると、異音を発生させる原因になる。
【０００４】
図４は、従来のダイナミックヘッドホンユニットの例を示す図である。図４において、ダイナミックヘッドホンユニットが備える磁気回路の図示は、省略している。図４に示すように、ダイナミックヘッドホンユニットが備える振動板１１は、センタードーム１２とサブドーム１３を有し、センタードーム１２とサブドーム１３の境界付近にボイスコイル１４が固定されている。
【０００５】
ボイスコイル１４の引き出し配線１５は、図示しない信号入力回路に接続される。引き出し配線１５と信号入力回路との接続点Ａと、引き出し配線１５がボイスコイル１４から引き出された部分Ｂは、振動板１１の振動によって断線しやすい箇所になる。また、Ａ部分とＢ部分を支点にして引き出し配線１５が、振動板１１の振動によって縄跳びの縄の様に振動することもあり、この場合は、異音が生ずる。
【０００６】
このような断線や異音を抑止するためには、引き出し配線の振動を抑えればよい。そこで、ボイスコイルの配線端部に撚り線を接続し、引き出し配線の強度を高めるものが知られている（例えば、特許文献１参照）。また、引き出し配線が振動しないように、サブドームの内面側に引き出し配線を固定する方法も知られている。
【先行技術文献】
【特許文献】
【０００７】
【特許文献１】特開２００３−１５３３８３号公報
【０００８】
サブドームの内面側に引き出し配線を接着した状態について説明する。図５は、従来のダイナミックヘッドホンユニットの例であって、振動板の裏面の状態を示す図である。図５において、ボイスコイル１４から引き出された引き出し配線１５がサブドーム１３上に接着されている。引き出し配線１５をサブドーム１３に接着するために、サブドーム１３には接着剤１７が塗布されている。なお、符号１８は、サブドーム１３に形成されたコルゲーションである。
【０００９】
接着剤１７の硬化によって、引き出し配線１５はサブドーム１３に固着される。したがって、引き出し配線１５が接着されたサブドーム１３の該当箇所（接着剤が塗られた部分）は、接着剤１７によって硬くなる。
【発明の概要】
【発明が解決しようとする課題】
【００１０】
図５を用いて説明した通り、従来のダイナミックヘッドホンユニットにおいて、ボイスコイルの引き出し配線の固定によって、振動板の一部が硬化する。特に、サブドームは、振動板の復元力（スチフネス）を司る部分であるから、部分的に硬くなると復元力が不均一なり、振動板の振動が不均一になって、振動板全体がうねるようなローリング振動になる。
【００１１】
また、振動板は薄い膜であって、その厚さは約５０ミクロン程度である。接着剤は刷毛などを用いて塗布されるが、５０ミクロン程度の薄塗りをすることは難しい。したがって、振動板は、塗布された接着剤の質量によって、サブドームの質量が不均一（部分的に重い）になる。  サブドームの質量分布が不均一になると、振動の仕方が不均一になるから、センタードームを中心として振動板全体がローリングする。
【００１２】
以上のように、従来のダイナミックヘッドホンユニットにおいては、引き出し配線の固定によって、振動板の振動に悪影響を及ぼし、出力される音質が劣化する要因となっていた。また、振動板がローリング振動をすると、異音の発生原因にもなる。
【００１３】
引き出し配線は固定する必要はあるので、引き出し配線１５を固定してもサブドーム１３の復元力や質量分布に悪影響を与えないものが望ましい。
【課題を解決するための手段】
【００１４】
そこで本発明は、引き出し配線を振動板のサブドーム内側に接着しても、サブドームの復元力や質量を均一に保つことができるダイナミックヘッドホンユニットを提供することを目的とする。
【００１５】
本発明は、ボイスコイルが固定されている振動板と、永久磁石と、上記永久磁石の一方の極側に設けられたポールピースと、上記永久磁石の他方の極側に設けられたヨークと、を有し、上記ポールピースと上記ヨークとの間に形成される磁気ギャップ内に、上記振動板を介して上記ボイスコイルが振動可能に支持されているダイナミックヘッドホンユニットであって、上記ボイスコイルには、信号電流を流す引き出し配線が設けられていて、上記引き出し配線は、上記振動板のサブドームの内面側に感圧接着剤により接着されている、ことを最も主な特徴とする。
【００１６】
また、本発明は、ボイスコイルが固定されている振動板と、永久磁石と、上記永久磁石の一方の極側に設けられたポールピースと、上記永久磁石の他方の極側に設けられたヨークと、を有し、上記ポールピースと上記ヨークとの間に形成される磁気ギャップ内に、上記振動板を介して上記ボイスコイルが振動可能に支持されているダイナミックヘッドホンユニットの製造方法であって、上記ボイスコイルに信号電流を流す引き出し配線を上記振動板の外側に取り出す工程と、上記引き出し配線に接着剤を塗布する工程と、上記接着剤が塗布された上記引き出し配線を上記振動板の外周部分を形成するサブドームに沿って、上記サブドームの内側に接触させる工程と、を有することを他の最も主な特徴とする。
【発明の効果】
【００１７】
本発明によれば、引き出し配線を振動板のサブドーム内側に接着しても、サブドームの復元力や質量を均一に保つことができる。
【図面の簡単な説明】
【００１８】
【図１】本発明に係るダイナミックヘッドホンユニットの実施形態を示す断面図である。
【図２】上記ダイナミックヘッドホンユニットが備える振動板に引き出し配線を接着する工程の例を示す図である。
【図３】上記ダイナミックヘッドホンユニットが備える振動板に引き出し配線を接着した状態を示す平面図である。
【図４】従来のダイナミックヘッドホンユニットにおける引き出し配線の固定状態の例を示す図である。
【図５】従来のダイナミックヘッドホンユニットにおける引き出し配線の固定状態の例を示す図である。
【発明を実施するための形態】
【００１９】
以下、本発明に係るダイナミックヘッドホンユニットの実施形態について、図面を参照しながら説明する。図１は、本発明に係るダイナミックヘッドホンユニットの実施形態を示す断面図である。図１に示すように、ダイナミックヘッドホンユニット１０は、基本的構成として、振動板１と、磁気回路を形成する永久磁石２１、ポールピース２２、ヨーク２３と、を有してなる。永久磁石２１の一方の極側に設けられたポールピース２２と、永久磁石２１の他方の極側に設けられたカップ状のヨーク２３と、の間には磁気ギャップが形成されている。この磁気ギャップの中に、ボイスコイル４が振動板１を介して振動可能に支持されている。
【００２０】
振動板１は、中心部に形成されているセンタードーム２と、その周囲に形成されているサブドーム３と、を有してなる。ボイスコイル４は、振動板１の内側の面における、センタードーム２とサブドーム３の境界に固定されている。サブドーム３の外周端は、ダイナミックヘッドホンユニット１０の筐体に支持されている。
【００２１】
永久磁石２１と、ポールピース２２と、ヨーク２３によって形成される磁気回路中の磁気ギャプ内に配置されているボイスコイル４に、音声信号に応じた電流が流されると、ボイスコイル４が音声信号に応じて振動する。振動板１は、外周端がダイナミックヘッドホンユニット１０の筐体に支持されているから、ボイスコイル４が配置されているセンタードーム２を中心として、図１における上下方向に振動する。この振動によって音声信号が出力される。
【００２２】
ボイスコイル４を構成する配線の端部は、音声信号に応じた信号電流をボイスコイル４に流すための引き出し配線５になっている。引き出し配線５は、サブドーム３の内面側に接着されている。この引き出し配線５は、図示しない信号回路に接続される。
【００２３】
図２は、振動板１に引き出し配線５を接着する工程の例を示す図である。図２は、図１とは振動板１の上下が逆転した状態を示している。まず、図２（ａ）に示すように、振動板１に固定されているボイスコイル４の引き出し配線５をサブドーム３の外側に向けて取り出す。次に、図２（ｂ）に示すように、引き出し配線５に、感圧接着剤６を塗布する。感圧接着剤６は、水性の接着剤であって、例えばスクリーン印刷に用いられるものが好適である。引き出し配線５への感圧接着剤６の塗布は、刷毛などを用いる。
【００２４】
次に、図２（ｃ）に示すように、感圧接着剤６を塗布した箇所が振動板１の外周部分を形成するサブドーム３の内面側に沿って接するように、引き出し配線５をサブドーム３に接触させる。
【００２５】
引き出し配線５をサブドーム３の内面側に接触させた状態で、引き出し配線５がサブドーム３に押し付けられるように圧力を与える。圧力は、例えば、治具によって軽く押さえる程度でもよいし、息を吹きかける程度の風力でもよい。圧力を与えられると、引き出し配線５は、サブドーム３側に押し当てられて接着される。以上の工程によって、引き出し配線５はサブドーム３の形に倣って固定される。
【００２６】
図３は、引き出し配線５を接着した振動板１の状態の例を示す平面図である。図３に示すように、引き出し配線５に感圧接着剤６を塗布しているので、引き出し配線５の幅から感圧接着剤６のはみ出しは、殆ど無い。すなわち、感圧接着剤６を用いてサブドーム３に引き出し配線５を固着させても、サブドーム３への影響は少ない。なお、符号７は、サブドーム３に形成されたコルゲーションである。
【００２７】
感圧接着剤６は、従来用いられていたゴム系接着剤に比較して、硬くなりにくい。また、感圧接着剤６は水性であるから、引き出し配線５に塗布するときに厚塗りになりにくい。したがって、ダイナミックヘッドホンユニット１０の振動板１は、引き出し配線５の固着によって、振動板１の復元力が不均一にならない。また、ダイナミックヘッドホンユニット１０の振動板１は、引き出し配線５の固着によって、質量が不均一になることもない。
【００２８】
以上説明したダイナミックヘッドホンユニット１０によれば、引き出し配線５を振動板１のサブドーム３の内側に接着させて、引き出し配線５の断線や異音の発生を抑止すると共に、サブドーム３の復元力や質量を均一に保つことができる。
【符号の説明】
【００２９】
１    振動板
２    センタードーム
３    サブドーム
４    ボイスコイル
５    引き出し配線
６    感圧接着剤
１０  ダイナミックヘッドホンユニット
【図１】
2015090985.tif 000003
【図２】
2015090985.tif 000004
【図３】
2015090985.tif 000005
【図４】
2015090985.tif 000006
【図５】
2015090985.tif 000007